(57)【要約】【課題】パケット通信の失敗の理由をユーザが認識できるようにすることによって、通信機器の利便性を向上させる。【解決手段】本発明に係る携帯電話機１００によれば、送受信状態検出部７は、通信制御部６におけるタイマ満了、パケット通信登録拒否の受信、パケット通信切断要求受信、パケット通信中の通信中断を検出し、ＣＰＵ８へ出力する。ＣＰＵ８は、送受信状態検出部７による検出結果を受信すると、失敗メッセージファイル１０１を参照し、検出された失敗理由に応じたメッセージを表示部１１に表示させる。【選択図】　図１
2004040461.tif 000002
【特許請求の範囲】
【請求項１】
ネットワークに無線接続して、パケット通信を行う通信手段を備えた通信機器において、
表示部と、
パケット通信時における送受信状態を検出する送受信状態検出手段と、
前記送受信状態検出手段による検出結果に応じた表示を前記表示部に表示させる表示制御手段と、
を備えたことを特徴とする通信機器。
【請求項２】
前記送受信状態検出手段は、前記通信手段がパケット通信登録要求を前記ネットワークに送信後、所定時間内に前記ネットワークからの応答を受信しない状態を検出することを特徴とする請求項１に記載の通信機器。
【請求項３】
前記送受信状態検出手段は、前記通信手段が前記ネットワークからパケット通信登録拒否を受信した状態を検出することを特徴とする請求項１又は２に記載の通信機器。
【請求項４】
前記送受信状態検出手段は、前記通信手段が前記ネットワークとの通信中に、前記ネットワークからパケット通信切断要求を受信した状態を検出することを特徴とする請求項１〜３の何れか一項に記載の通信機器。
【請求項５】
前記送受信状態検出手段は、前記通信手段が前記ネットワークとの通信中に、前記ネットワークとの接続が中断された状態を検出することを特徴とする請求項１〜４の何れか一項に記載の通信機器。
【請求項６】
前記送受信状態検出手段は、送受信状態として、パケット通信時における送受信の失敗及びその伝送路を検出し、
前記表示制御手段は、前記送受信状態検出手段により、同一伝送路において検出された失敗が所定回数以上であった場合に、前記表示部に、伝送路の変更を促す表示を表示させることを特徴とする請求項１〜５の何れか一項に記載の通信機器。
【発明の詳細な説明】
【０００１】
【発明の属する技術分野】
本発明は、通信機器に関する。
【０００２】
【従来の技術】
基地局との間で無線通信を行うことでネットワーク網に接続し、一般電話や他の携帯電話機との通話が可能な、携帯電話機を始めとする無線電話機が各種実用化されている。近年、無線電話機においては、通話のみでなく、データ通信も可能となり、パケット通信サービスも提供されている。
【０００３】
【発明が解決しようとする課題】
無線電話機を始めとする通信機器におけるパケット通信では、ネットワーク網への接続が失敗して通信ができない状態となったり、通信が開始されても接続が維持できずに途中で中断されることがある。このような場合、ユーザは、その理由がわからないため、適切な対処ができず、無駄な操作を行うことが多かった。
【０００４】
本発明の課題は、パケット通信の失敗の理由をユーザが認識できるようにすることによって、通信機器の利便性を向上させることである。
【０００５】
【課題を解決するための手段】
上記課題を解決するため、請求項１記載の発明は、
ネットワークに無線接続して、パケット通信を行う通信手段を備えた通信機器において、
表示部と、
パケット通信時における送受信状態を検出する送受信状態検出手段と、
前記送受信状態検出手段による検出結果に応じた表示を前記表示部に表示させる表示制御手段と、
を備えたことを特徴としている。
【０００６】
請求項２記載の発明は、請求項１に記載の発明において、
前記送受信状態検出手段は、前記通信手段がパケット通信登録要求を前記ネットワークに送信後、所定時間内に前記ネットワークからの応答を受信しない状態を検出することを特徴としている。
【０００７】
請求項３記載の発明は、請求項１又は２に記載の発明において、
前記送受信状態検出手段は、前記通信手段が前記ネットワークからパケット通信登録拒否を受信した状態を検出することを特徴としている。
【０００８】
請求項４記載の発明は、請求項１〜３の何れか一項に記載の発明において、
前記送受信状態検出手段は、前記通信手段が前記ネットワークとの通信中に、前記ネットワークからパケット通信切断要求を受信した状態を検出することを特徴としている。
【０００９】
請求項５記載の発明は、請求項１〜４の何れか一項に記載の発明において、
前記送受信状態検出手段は、前記通信手段が前記ネットワークとの通信中に、前記ネットワークとの接続が中断された状態を検出することを特徴としている。
【００１０】
請求項６記載の発明は、請求項１〜５の何れか一項に記載の発明において、
前記送受信状態検出手段は、送受信状態として、パケット通信時における送受信の失敗及びその伝送路を検出し、
前記表示制御手段は、前記送受信状態検出手段により、同一伝送路において検出された失敗が所定回数以上であった場合に、前記表示部に、伝送路の変更を促す表示を表示させることを特徴としている。
【００１１】
【発明の実施の形態】
以下、図を参照して本実施の形態を詳細に説明する。
まず、構成を説明する。
図１は、本実施の形態の全体構成及び携帯電話機１００の主要構成を示すブロック図である。図１に示すように、携帯電話機１００は、アンテナＡにより基地局Ｂとの間で無線通信を行うことでネットワークＮに接続されている。また、携帯電話機１００は、アンテナＡに接続されたアンテナ共用部１、受信部２、送信部３、変復調機４、ベースバンド処理部５、通信制御部６、送受信状態検出部７、ＣＰＵ８、入力部９、記憶部１０、表示部１１を備えて構成されている。
【００１２】
アンテナ共用部１は、受信側共用器と送信側共用器により構成されている。受信側共用器は、アンテナＡ及び受信部２に接続され、周波数の違いにより他の受信信号や送信信号を阻止及び抑圧して得た受信信号を受信部２へ出力する。送信側共用器は、アンテナＡ及び送信部３に接続され、周波数の違いにより他の送信信号や受信信号を阻止及び抑圧して得た送信信号をアンテナＡへ出力する。
【００１３】
受信部２は、基地局Ｂから送信された信号を、アンテナＡ及びアンテナ共用部１を介して受信し、搬送波成分を取り除いて変復調機４またはベースバンド処理部５へ出力する。
送信部３は、変復調機４から入力される信号を、所与の周波数帯の搬送波に載せてアンテナ共用部１及びアンテナＡを介して基地局Ｂへ送信する。
【００１４】
変復調機４は、アンテナＡを介して受信部２で受信された信号を復調して、ベースバンド処理部５へ出力する。また、ベースバンド処理部５から入力された信号をネットワークＮの周波数帯域に適合する信号に変調する。
【００１５】
ベースバンド処理部５は、変復調機４から供給された信号のフレーム処理およびデコード処理等を行うと共に、変復調機４に供給する通信データのエンコード処理およびフレーム処理を行う。
【００１６】
通信制御部６は、ベースバンド処理部５から入力される無線制御信号により通信チャネルの設定や切断等の通信制御を行う。
【００１７】
なお、上述したアンテナＡ、アンテナ共用部１、受信部２、送信部３、変復調機４、ベースバンド処理部５及び通信制御部６は、全体として、本発明の請求項に記載の通信手段としての機能を有する。
【００１８】
送受信状態検出部７は、基地局Ｂへのパケット通信登録要求の送信動作や、基地局Ｂから受信したパケット通信登録拒否信号、パケット通信切断要求信号等により、受信部２における受信状態及び送信部３における送信状態を検出し、検出結果をＣＰＵ８へ出力する。送受信状態検出部７は、本発明の請求項に記載の送受信状態検出手段としての機能を有する。
【００１９】
ＣＰＵ（Ｃｅｎｔｒａｌ　Ｐｒｏｃｅｓｓｉｎｇ　Ｕｎｉｔ）８は、電話の発信又は着信や入力部９から入力される指示信号に従って、記憶部１０に格納されている制御プログラムを読み出し、該制御プログラムに従って、各部の動作を集中制御する。また、ＣＰＵ８は、読み出したプログラムに従って、各種処理を実行する。例えば、ＣＰＵ８は、送受信状態検出部７から出力された送受信状態の検出結果が入力されると、記憶部１０に格納されている失敗メッセージファイル１０１を参照して、検出結果に応じたメッセージを表示部１１に表示させる失敗理由表示処理Ａ、Ｂを行う。ＣＰＵ８は、本発明の請求項に記載の表示制御手段としての機能を有する。
【００２０】
入力部９は、電源のＯＮ／ＯＦＦ、機能の選択、文字や数字の入力、電話やデータの送受信、指示切替等を表示する各種操作ボタンを備えて構成され、これら各種操作ボタンは、単独に又は組み合わせて押下されることにより、指示内容に応じた入力信号をＣＰＵ８へ出力する。
【００２１】
記憶部１０は、半導体等の不揮発性メモリで構成され、携帯電話機１００に対応する制御プログラム、及び該制御プログラムで実行可能な各種処理プログラム、及びこれらのプログラムで参照するデータ等を記憶する。
【００２２】
本実施の形態において、記憶部１０は、内部に失敗メッセージファイル１０１を有して構成されている。
図２は、パケット通信失敗理由と表示メッセージを対応付けて記憶する失敗メッセージファイル１０１のデータ格納例を示す図である。図２に示すように、失敗メッセージファイル１０１は、パケット通信の失敗理由を示すデータ（例えば、“ＴＭ３０７満了”、“パケット通信中電波断”、“パケット通信登録拒否”、“パケット通信切断要求受信”）を「ＰＫＴ通信失敗理由」として格納するＰＫＴ通信失敗理由領域１０１ａと、前記失敗理由に対応する表示メッセージを示すデータ（例えば、“接続が失敗しました。電波が弱いため、もう一度パケット通信を開始してください。”、“電波が弱いため、もう一度パケット通信を開始してください。”、・・・）を「メッセージ」として格納するメッセージ領域１０１ｂと、を有している。
【００２３】
表示部１１は、ＬＣＤ（Ｌｉｑｕｉｄ　Ｃｒｙｓｔａｌ　Ｄｉｓｐｌａｙ）、ＥＬ（Ｅｌｅｃｔｒｏ　Ｌｕｍｉｎｅｓｃｅｎｃｅ）等により構成され、ＣＰＵ８から入力される表示信号の指示に従って、表示画面上に、各種情報や画像データ等の表示を行う。表示部１１は、本発明の請求項に記載の表示部としての機能を有する。
【００２４】
次に、動作について説明する。
図３は、携帯電話機１００と、基地局Ｂを介してネットワークＮとの間でパケット通信開始時に行われる接続シーケンスＡ及び接続シーケンスＡにおいて送受信状態検出部７により実行される検出処理Ａとを示す図である。以下、図３を参照して、接続シーケンスＡ及び送受信状態検出部７の検出処理Ａについて説明する。
【００２５】
携帯電話機１００の通信制御部６は、通信制御部６内のタイマを作動させ、パケットチャネルによりパケット通信登録要求をネットワークＮへ送信する（ステップＳ１）。送受信状態検出部７は、通信制御部６によりパケット通信登録要求が送信されると、送受信状態の検出を開始する（ステップＳ２）。
【００２６】
通信制御部６は、所定時間、例えば６秒経過してもネットワークＮからパケット通信登録応答又はパケット通信登録拒否を受信しなければ、再度パケット通信登録要求をネットワークＮへ送信する（ステップＳ３）。これを３回繰り返し実行し（ステップＳ３〜５）、３回目のパケット通信登録要求送信後、所定時間が経過してもパケット通信登録応答又はパケット通信登録拒否を受信しない場合は、タイマが満了し、当該パケット通信登録要求の送信を終了してステップＳ８へ移行する。送受信状態検出部７は、タイマが満了すると、これを検出し（ステップＳ６）、検出結果として、ＣＰＵ８へタイマ満了によるパケット通信失敗を通知する（ステップＳ７）。
【００２７】
通信制御部６は、ステップＳ８〜１１において、ネットワークＮに携帯電話機１００の位置登録を行って、次のパケット通信に備える。即ち、通信制御部６は、共通制御チャネルによりネットワークＮへ位置登録要求を送信し（ステップＳ８）、ネットワークＮは、これを受信すると、携帯電話機１００側へ認証要求を送信する（ステップＳ９）。通信制御部６は、ネットワークＮへ認証応答を送信し（ステップＳ１０）、ネットワークＮは、認証応答を受信すると、携帯電話機１００の位置情報を受付して登録する（ステップＳ１１）。なお、パケット通信と同様に、携帯電話機１００からネットワークＮへ位置登録要求を送信しても、位置登録の認証ができない場合もある。
【００２８】
上記説明した様に、送受信状態検出部７は、通信制御部６からパケット通信登録要求が送信されると、送受信状態の検出を開始し、パケット通信登録応答又はパケット通信登録拒否を受信せずにタイマが満了した場合は、ＣＰＵ８へタイマ満了によるパケット通信失敗を通知する。このタイマ満了によるパケット通信失敗は、図２におけるＰＫＴ失敗理由「ＴＭ３０７満了」に相当し、ＣＰＵ８は、後述する失敗理由通知処理Ａにより、表示部１１に「接続が失敗しました。電波が弱いため、もう一度パケット通信を開始してください。」と表示させる。
【００２９】
図４は、携帯電話機１００と、基地局Ｂを介してネットワークＮとの間でパケット通信開始時に行われる接続シーケンスＢ及び接続シーケンスＢにおいて送受信状態検出部７により実行される検出処理Ｂとを示す図である。以下、図４を参照して、接続シーケンスＢ及び送受信状態検出部７の検出処理Ｂについて説明する。
【００３０】
携帯電話機１００の通信制御部６は、通信制御部６内のタイマを作動させ、パケットチャネルによりパケット通信登録要求をネットワークＮ側へ送信する（ステップＳ２１）。送受信状態検出部７は、通信制御部６よりパケット通信登録要求が送信されると、送受信状態の検出を開始する（ステップＳ２２）。
【００３１】
ネットワークＮは、携帯電話機１００からのパケット通信登録要求を受信すると、携帯電話機１００にパケット認証要求を送信する（ステップＳ２３）。通信制御部６は、パケット認証要求を受信すると、パケット認証に応答する（ステップＳ２４）。応答後、ネットワークＮからパケット通信登録拒否が送信され（ステップＳ２５）、通信制御部６がパケット通信登録拒否を受信すると、送受信状態検出部７はこれを検出し（ステップＳ２６）、検出結果として、ＣＰＵ８へパケット通信登録拒否を受信したことによるパケット通信の失敗を通知する（ステップＳ２７）。
【００３２】
通信制御部６は、ステップＳ２８〜３１において、位置登録を行って、次のパケット通信に備える。即ち、通信制御部６は、共通制御チャネルによりネットワークＮに位置登録要求を送信し（ステップＳ２８）、ネットワークＮは、これを受信すると、携帯電話機１００側へ認証要求を送信する（ステップＳ２９）。通信制御部６は、ネットワークＮへ認証応答を送信し（ステップＳ３０）、ネットワークＮは、認証応答を受信すると、携帯電話機１００の位置情報を受付し、登録する（ステップＳ３１）。なお、パケット通信と同様に、位置登録の認証ができない場合もある。
【００３３】
上記説明した様に、送受信状態検出部７は、通信制御部６からパケット通信登録要求が送信されると、送受信状態の検出を開始し、その後、通信制御部６がパケット通信登録拒否を受信したことを検出すると、ＣＰＵ８へパケット通信登録拒否の受信を通知する。このパケット通信登録拒否の受信は、図２におけるＰＫＴ失敗理由「パケット通信登録拒否」に相当し、ＣＰＵ８は、後述する失敗理由通知処理Ａにより、表示部１１に「接続が拒否されました。回線が混み合っています。しばらくしたあと、もう一度パケット通信を開始してください。」と表示させる。
【００３４】
図５は、携帯電話機１００と、基地局Ｂを介してネットワークＮとの間でパケット通信中に行われる切断要求受信シーケンス及び切断要求受信シーケンスにおいて送受信状態検出部７により実行される検出処理Ｃを示す図である。以下、図５を参照して、切断要求受信シーケンス及び送受信状態検出部７の検出処理Ｃについて説明する。
【００３５】
携帯電話機１００の通信制御部６は、通信制御部６内のタイマを作動させ、パケットチャネルによりパケット通信登録要求をネットワークＮ側へ送信する（ステップＳ４１）。送受信状態検出部７は、通信制御部６よりパケット通信登録要求が送信されると、送受信状態の検出を開始する（ステップＳ４２）。
【００３６】
ネットワークＮは、携帯電話機１００からのパケット通信登録要求を受信すると、携帯電話機１００にパケット認証要求を送信する（ステップＳ４３）。通信制御部６は、パケット認証要求を受信すると、パケット認証に応答する（ステップＳ４４）。応答後、ネットワークＮからパケット通信登録応答が送信されると（ステップＳ４５）、通信制御部６は、パケット送信を開始する（ステップＳ４６）。
【００３７】
ネットワークＮは、例えば、携帯電話機１００とのパケット通信中に回線が混み合うと、携帯電話機１００にパケット通信切断要求を送信する（ステップＳ４７）。送受信状態検出部７は、通信制御部６がパケット通信切断要求を受信すると、これを検出し（ステップＳ４８）、検出結果として、ＣＰＵ８へパケット通信切断要求の受信によるパケット通信の失敗を通知する（ステップＳ４９）。通信制御部６は、ネットワークＮへパケット通信切断確認を送信する（ステップＳ５０）。
【００３８】
上記説明した様に、送受信状態検出部７は、通信制御部６よりパケット通信登録要求が送信されると、送受信状態の検出を開始し、通信制御部６がパケット通信切断要求を受信したことを検出すると、ＣＰＵ８へパケット通信切断要求の受信によるパケット通信の失敗を通知する。このパケット通信切断要求の受信は、図２におけるＰＫＴ失敗理由「パケット通信切断要求受信」に相当し、ＣＰＵ８は、後述する失敗理由通知処理Ａにより、表示部１１に「通信中に切断されました。回線が混み合っています。しばらくしたあと、もう一度パケット通信を開始してください。」と表示させる。
【００３９】
また、送受信状態検出部７は、検出処理Ｄにより、通信制御部６よりパケット通信登録要求が送信されると、送受信状態の検出を開始し、ネットワークＮとの間でパケット通信が確立後、ネットワークＮとの通信が中断した場合、これを検出し、検出結果として、ＣＰＵ８へ通信が中断されたことによるパケット通信の失敗を通知する。通信が中断されたことによるパケット通信の失敗は、図２におけるＰＫＴ失敗理由「パケット通信中電波断」に相当し、ＣＰＵ８は、後述する失敗理由通知処理Ａにより、表示部１１に「電波が弱いため、もう一度パケット通信を開始してください。」と表示させる。
【００４０】
図６は、ＣＰＵ８により実行される失敗理由表示処理Ａを示すフローチャートである。以下、図６を参照して、失敗理由表示処理Ａについて説明する。
送受信状態検出部７によりパケット通信失敗が検出されると（ステップＳ５１）、ＣＰＵ８は、失敗メッセージファイル１０１を参照し、検出された失敗理由に応じたメッセージを表示部１１に表示させる（ステップＳ５２）。
【００４１】
以上説明した様に、送受信状態検出部７は、通信制御部６におけるタイマ満了、パケット通信登録拒否の受信、パケット通信切断要求受信、パケット通信中の通信中断を検出し、ＣＰＵ８へ出力する。ＣＰＵ８は、送受信状態検出部７による検出結果を受信すると、失敗メッセージファイル１０１を参照し、検出された失敗理由に応じたメッセージを表示部１１に表示させる。
【００４２】
従って、ユーザは、電波の状態の悪化や、通信回線が混雑している等のパケット通信の失敗理由を直ちに認識することができるので、失敗理由に見合った対処を迅速に行うことができるようになる。
【００４３】
次に、ＣＰＵ８により実行される失敗理由表示処理Ａの応用例として、図７のフローチャートを参照して、失敗理由表示処理Ｂについて説明する。なお、送受信状態検出部７は、上述した検出処理Ａ〜Ｄにおいて、失敗理由とともに、失敗チャネルをＣＰＵ８へ通知するものとする。
【００４４】
ＣＰＵ８は、送受信状態検出部７によりパケット通信失敗が検出されると（ステップＳ６１）、ＣＰＵ８は、失敗理由及び失敗チャネルを通信失敗履歴としてＣＰＵ８内のＲＡＭに記憶し、当該失敗チャネル及び失敗理由と同一のチャネル及び理由である通信失敗履歴をカウントする（ステップＳ６２）。そして、カウントされた回数が所定回数以上である場合は（ステップＳ６３；ＹＥＳ）、表示部１１に、チャネル（伝送路）の変更を促すためのユーザへの移動勧告表示、例えば、「他のエリアへ移動してパケット通信を行ってください」等を表示させる（ステップＳ６４）。カウントされた回数が所定回数以下である場合は、ＣＰＵ８は、失敗メッセージファイル１０１を参照し、検出された失敗理由に応じたメッセージを表示部１１に表示させる（ステップＳ６５）。
【００４５】
上記失敗理由表示処理Ｂによれば、同一のチャネルで同一理由により所定回数以上接続が失敗するような場合は、ユーザに、無線状態が良好な場所に移動するようメッセージで通知することができる。従って、パケット通信失敗時における対処方法をユーザに明示することができる。
【００４６】
なお、上記実施の形態における記述内容は、携帯電話機１００の好適な一例であり、これに限定されるものではない。
例えば、失敗理由を表示する際に、併せて失敗チャネルやそのチャネルにおける失敗回数を表示するようにしてもよい。
また、表示されるメッセージは、文字によるメッセージとしたが、これに限定されず、例えば、画像やアイコン等により表示するようにしてもよい。
【００４７】
また、本実施の形態においては、携帯電話機１００を例にとり説明したが、これに限定されず、本発明は、無線通信を利用したパケット通信を行うことが可能な通信機器に適用可能である。
【００４８】
その他、携帯電話機１００の細部構成及び細部動作に関しても、本発明の趣旨を逸脱することのない範囲で適宜変更可能である。
【００４９】
【発明の効果】
本発明によれば、パケット通信の失敗の理由をユーザが認識できるようにすることによって、通信機器の利便性を向上させることができる。
【図面の簡単な説明】
【図１】本実施の形態の全体構成及び本発明に係る携帯電話機１００の主要構成を示すブロック図である。
【図２】図１の記憶部１０の失敗メッセージファイル１０１内部のデータ格納例を示す図である。
【図３】図１の携帯電話機１００とネットワークＮとの間で行われる接続シーケンスＡ及び接続シーケンスＡにおいて送受信状態検出部７により実行される検出処理Ａを示す図である。
【図４】図１の携帯電話機１００とネットワークＮとの間で行われる接続シーケンスＢ及び接続シーケンスＢにおいて送受信状態検出部７により実行される検出処理Ｂを示す図である。
【図５】図１の携帯電話機１００とネットワークＮとの間で行われる切断要求受信シーケンス及び切断要求受信シーケンスにおいて送受信状態検出部７により実行される検出処理Ｃを示す図である。
【図６】図１のＣＰＵ８により実行される失敗理由表示処理Ａを示すフローチャートである。
【図７】図２のＣＰＵ８により実行される失敗理由表示処理Ｂを示すフローチャートである。
【符号の説明】
１　　アンテナ共用器
２　　受信部
３　　送信部
４　　変復調機
５　　ベースバンド処理部
６　　通信制御部
７　　送受信状態検出部
８　　ＣＰＵ
９　　入力部
１０　　記憶部
１１　　表示部
１００　　携帯電話機
【図１】
2004040461.tif 000003
【図２】
2004040461.tif 000004
【図３】
2004040461.tif 000005
【図４】
2004040461.tif 000006
【図５】
2004040461.tif 000007
【図６】
2004040461.tif 000008
【図７】
2004040461.tif 000009